(57)【要約】【課題】  外形寸法が異なるボール・グリッド・アレイ（ＢＧＡ）型の半導体集積回路装置のパッケージを収納することのできる半導体集積回路装置用収納トレイを提供する。【解決手段】  本発明の半導体集積回路装置用収納トレイ１０は、フラットな下面１２ｂに複数個の導電ボール１６が配列されたボール・グリッド・アレイ型のパッケージ１１を収納するために下面１２ｂに接して支持するフラットな上面２０ａを有する板体２０から構成され、板体２０には上面２０ａから厚さ方向下面２０ｂに向かって延びて導電ボール１６が侵入する円形の凹孔を有しかつ凹孔周壁２１ａによって導電ボール１６を保持する複数個の保持溝２１が格子状に等間隔に形成され、保持溝２１は、パッケージ１１を保持した状態で導電ボール１６と保持溝２１の底部２２との間に隙間２３が生じる深さとされている。【選択図】  図８
2006298397.tif 000002
【特許請求の範囲】
【請求項１】
フラットな下面に複数個の導電ボールが配列されたボール・グリッド・アレイ型のパッケージを収納するための半導体集積回路装置用収納トレイであって、前記パッケージの下面と前記導電ボールとにより前記パッケージを保持することを特徴とする半導体集積回路装置用収納トレイ。
【請求項２】
前記導電ボールを保持するための周壁を有する保持溝を有することを特徴とする請求項１に記載の半導体集積回路装置用収納トレイ。
【請求項３】
前記保持溝は、前記パッケージを保持した状態で前記導電ボールと前記保持溝の底部との間に隙間が生じる深さとされていることを特徴とする請求項２に記載の半導体集積回路装置用収納トレイ。
【請求項４】
前記保持溝が前記導電ボールの直径と同程度の直径を有する円形の凹孔から構成されていることを特徴とする請求項３に記載の半導体集積回路装置用収納トレイ。
【請求項５】
前記凹孔を複数個有し、該複数個の凹孔が等間隔に配設されていることを特徴とする請求項４に記載の半導体集積回路装置用収納トレイ。
【請求項６】
前記複数個の凹孔の配設が格子状であることを特徴とする請求項５に記載の半導体集積回路装置用収納トレイ。
【請求項７】
フラットな下面に複数個の導電ボールが配列されたボール・グリッド・アレイ型のパッケージを収納するために前記下面に接して支持するフラットな上面を有する板体から構成され、該板体には前記上面から厚さ方向下面に向かって延びて前記導電ボールが侵入する円形の凹孔を有しかつ凹孔周壁によって前記導電ボールを保持する複数個の保持溝が格子状に等間隔に形成され、前記保持溝は、前記パッケージを保持した状態で前記導電ボールと前記保持溝の底部との間に隙間が生じる深さとされていることを特徴とする半導体集積回路装置用収納トレイ。
【発明の詳細な説明】
【背景技術】
【０００１】
半導体集積回路装置は、近年、高密度、多ピン化に伴って、クアドフラットパッケージ（ＱＦＰ）からボール・グリッド・アレイ（ＢＧＡ）型に移行しつつある。
【０００２】
従来から、そのボール・グリッド・アレイ（ＢＧＡ）型の半導体集積回路装置（パッケージともいう）２を収納するための半導体集積回路装置用収納トレイ１としては、図１（ａ）、図１（ｂ）に示すように、区画された複数個の各収容部３に保持させる構成のものが知られている（例えば、特許文献１参照）。
【０００３】
また、半導体集積回路装置用収納トレイ１には、図２に示すように、各収容部３を構成する周壁４をテーパ形状に形成し、パッケージ２をテーパ形状の周壁４とで保持させる構成のものも知られている（例えば、特許文献２参照）。
【０００４】
更に、半導体集積回路装置用収納トレイ１には、図３に示すように、各収容部３の下部に突起部５を設け、各収容部３の周壁４と各突起部５とでパッケージ２を保持させる構成のものも知られている（例えば、特許文献３参照）。
【特許文献１】特許第３３１４９１８号公報
【特許文献２】特開平９−１４８４２４号公報
【特許文献３】特開２００３−４０３８９号公報
【発明の開示】
【発明が解決しようとする課題】
【０００５】
しかしながら、従来の半導体集積回路装置用収納トレイ１は、各収容部（ポケット）３の大きさがそのボール・グリッド・アレイ（ＢＧＡ）型の半導体集積回路装置のパッケージ２の外形寸法により決定されるため、外形寸法の異なるボール・グリッド・アレイ（ＢＧＡ）型の半導体集積回路装置のパッケージ２を収容することができず、外形寸法の異なるボール・グリッド・アレイ毎に専用の半導体集積回路装置用収納トレイ１を準備せざるを得ず、汎用性に欠け、不便であるという問題がある。
【０００６】
特に、製造組み立ての際に、不具合のあるパッケージ２を取り除いて収納する際には外形寸法の異なるものが混在する場合があり、また、開発段階では、外形寸法を適宜変更することがあり、このようなパッケージ２の収納の際には特別注文により半導体集積回路装置用収納トレイ１を製作せざる得ず、不便である。
【０００７】
本発明は、上記の事情に鑑みて為されたもので、外形寸法が異なるボール・グリッド・アレイ（ＢＧＡ）型の半導体集積回路装置のパッケージを収納することのできる半導体集積回路装置用収納トレイを提供することにある。
【課題を解決するための手段】
【０００８】
請求項１に記載の半導体集積回路装置用収納トレイは、フラットな下面に複数個の導電ボールが配列されたボール・グリッド・アレイ型のパッケージを収納するための半導体集積回路装置用収納トレイであって、前記パッケージの下面と前記導電ボールとにより前記パッケージを保持することを特徴とする。
【０００９】
請求項２に記載の半導体集積回路装置用収納トレイは、前記導電ボールを保持するための周壁を有する保持溝を有することを特徴とする。
【００１０】
請求項３に記載の半導体集積回路装置用収納トレイは、前記保持溝は、前記パッケージを保持した状態で前記導電ボールと前記保持溝の底部との間に隙間が生じる深さとされていることを特徴とする。
【００１１】
請求項４に記載の半導体集積回路装置用収納トレイは、前記保持溝が前記導電ボールの直径と同程度の直径を有する円形の凹孔から構成されていることを特徴とする。
【００１２】
請求項５に記載の半導体集積回路装置用収納トレイは、前記凹孔を複数個有し、該複数個の凹孔が等間隔に配設されていることを特徴とする。
【００１３】
請求項６に記載の半導体集積回路装置用収納トレイは、前記複数個の凹孔の配設が格子状であることを特徴とする。
【００１４】
請求項７に記載の半導体集積回路装置用収納トレイは、フラットな下面に複数個の導電ボールが配列されたボール・グリッド・アレイ型のパッケージを収納するために前記下面に接して支持するフラットな上面を有する板体から構成され、該板体には前記上面から厚さ方向下面に向かって延びて前記導電ボールが侵入する円形の凹孔を有しかつ凹孔周壁によって前記導電ボールを保持する複数個の保持溝が格子状に等間隔に形成され、前記保持溝は、前記パッケージを保持した状態で前記導電ボールと前記保持溝の底部との間に隙間が生じる深さとされていることを特徴とする。
【発明の効果】
【００１５】
請求項１に記載の発明によれば、パッケージの下面と導電ボールとによりボール・グリッド・アレイ（ＢＧＡ）型の半導体集積回路装置のパッケージを保持する構成としたので、外形寸法が異なるパッケージでも支障なく収納することができる。
【００１６】
請求項２に記載の発明によれば、パッケージ自体の重量はパッケージ下面で支承されるため、導電ボールに加わるストレスを低減できる。
【００１７】
請求項３に記載の発明によれば、導電ボールと保持溝との間に隙間があるので、回路基板にハンダづけする際に接する導電ボールの底面を保護することができ、また、回路基板に搭載したときのパッケージの傾きを防止できる。
【００１８】
請求項４に記載の発明によれば、半導体集積回路装置用収納トレイに振動が加わったとしても、導電ボールで振動が吸収されるため、半導体集積回路装置そのものが受けるダメージを緩和できる。
【００１９】
請求項５に記載の発明によれば、パッケージの導電ボールの行数、列数が異なっていたとしても、パッケージを収納できる。
【００２０】
請求項７に記載の発明によれば、外形寸法が異なるパッケージでも支障なく収納することができるので汎用性があり、パッケージ自体の重量はパッケージ下面に接する上面で支承されるため、導電ボールに加わるストレスを低減でき、導電ボールと保持溝との間に隙間があるので、回路基板にハンダづけする際に接する導電ボールの底面を保護することができ、また、半導体集積回路装置用収納トレイに搭載したときのパッケージの傾きも防止でき、更には、半導体集積回路装置用収納トレイに振動が加わったとしても、導電ボールで振動が吸収されるため、半導体集積回路装置そのものが受けるダメージを緩和できるという効果に加えて、一枚の板体に異なる外形寸法のパッケージを同時に収納させることができる。
【発明を実施するための最良の形態】
【００２１】
以下に、本発明に係わる半導体集積回路装置用収納トレイの発明の実施の形態を図面を参照しつつ説明する。
【実施例】
【００２２】
図４は図５に示す半導体集積回路装置用収納トレイ１０に用いるボール・グリッド・アレイ型のパッケージ１１の一例を概念的に示す断面図である。このボール・グリッド・アレイ型のパッケージ１１は、パッケージ基板１２と、半導体チップ１３と、半導体チップ１３を保護する保護樹脂部１４とから大略構成されている。パッケージ基板１２の上面１２ａにはリードパターン１５が形成され、パッケージ基板１２のフラットな下面１２ｂには導電ボール１６が図６（ａ）、図６（ｂ）に示すように格子状に等ピッチ間隔で配列されている。各導電ボール１６はバンプ下地電極１６ｆを介してリードパターン１５に接続され、そのリードパターン１５はボンディングワイヤ１７を介して半導体チップ１３に適宜接続されている。
【００２３】
その導電ボール１６の各ピッチ（中心から中心までの間隔）は、例えば、１.２７ｍｍであり、図６（ａ）には例えば導電ボール１６が縦横に格子状に８個づつ配列された４８ピン構成の正方形の外形を有するパッケージ１１が示され、図６（ｂ）には例えば導電ボール１６が縦に５個、横に４個の格子状に配列された２０ピン構成の長方形の外形を有するパッケージ１１が示されている。なお、ここでは、その図６（ａ）に示すパッケージ１１は、その下面１２ｂでかつその中央部に導電ボール１６の配列により包囲された正方形状の導電ボール非配列領域１８を有する。
【００２４】
半導体集積回路装置用収納トレイ１０は、図５、図７に示すように、平らな長方形状の板体２０からなっている。その上面２０ａは、図８に示すようにパッケージ基板１２の下面１２ｂが当接してパッケージ１１を支持する役割を果たす。
【００２５】
この板体２０には、図８に示すように、上面２０ａからその板体２０の厚さ方向の下面２０ｂに向かって延びる複数個の保持溝２１が、図５に示すように格子状にかつ等間隔に形成されている。ここでは、その保持溝２１は円形の凹孔から構成されている。導電ボール１６はその保持溝２１に上面２０ａから侵入され、導電ボール１６の直径部分の周壁部１６ａが凹孔周壁２１ａによって保持される。保持溝２１は、パッケージ１１を保持した状態で導電ボール１６と保持溝２１の底部２２との間に隙間２３が生じる深さとされている。
【００２６】
この半導体集積回路装置用収納トレイ１０によれば、図６（ａ）に示すパッケージ１１、図６（ｂ）に示すパッケージ１１のいずれも、導電ボール１６のピッチが同じであれば、図９に示すように、同一のトレイ１１に同時に収納することもできる。
【図面の簡単な説明】
【００２７】
【図１】従来の半導体集積回路装置用収納トレイの一例を示す図であって、（ａ）は平面図、（ｂ）はその一部を拡大して示した断面図である。
【図２】従来の半導体集積回路装置用収納トレイの他の例を拡大して示す断面図である。
【図３】従来の半導体集積回路装置用収納トレイの更に他の例を拡大して示す断面図である。
【図４】本発明に係わるボール・グリッド・アレイ型のパッケージの拡大断面図である。
【図５】本発明に係わる半導体集積回路装置用収納トレイの平面図である。
【図６】本発明に係わるボール・グリッド・アレイ型のパッケージを底面側から見た平面図であって、（ａ）は８×８個の導電ボールが縦横に格子状に配列された状態を示し、（ｂ）は５×４個の導電ボールが縦横に格子状に配列された状態を示す。
【図７】本発明に係わる半導体集積回路装置用収納トレイの斜視図である。
【図８】本発明に係わる半導体集積回路装置用収納トレイにボール・グリッド・アレイ型のパッケージを収納した状態を示す部分拡大断面図である。
【図９】本発明に係わる半導体集積回路装置用収納トレイにボール・グリッド・アレイ型のパッケージを収納した状態を示す平面図である。
【符号の説明】
【００２８】
１０…半導体集積回路装置用収納トレイ
１１…ボール・グリッド・アレイ型のパッケージ
１２ｂ…下面
１６…導電ボール
２０…板体
２０ａ…上面
２０ｂ…下面
２１ａ…凹孔周壁
２１…保持溝
２２…底部
２３…隙間
【図１】
2006298397.tif 000003
【図２】
2006298397.tif 000004
【図３】
2006298397.tif 000005
【図４】
2006298397.tif 000006
【図５】
2006298397.tif 000007
【図６】
2006298397.tif 000008
【図７】
2006298397.tif 000009
【図８】
2006298397.tif 000010
【図９】
2006298397.tif 000011